(57)【要約】      （修正有）【課題】煩雑な作業を行うことなく物品を一つづつ容易に取り出すことができるディスペンサー付カートンを提供する。【解決手段】カートンは、柱状物品の下端を支持する底壁パネルと、相対向する一対の側壁パネル16と、頂壁パネル14と、頂壁パネル14、底壁パネル、および側壁パネル16で構成される筒状体の前端を構成する前壁パネルと、前端に形成されたデイスペンサーと、カートンに取り付けられてカートンを前端に向かって傾斜させる傾斜手段とを備えている。デイスペンサーは、柱状物品のうち少なくとも一つをカートンから取り出すのに可能な大きさの開口であり、この開口は、前壁パネル、頂壁パネル14、一対の側壁パネル16のそれぞれの一部から構成される分離部Ｔをカートンから切離することにより形成され、傾斜手段は切離された分離部Ｔにより構成される。【選択図】図２
2004345683.tif 000002
【特許請求の範囲】
【請求項１】
カートンと、このカートン内に収容される複数の柱状物品とからなるパッケージであって、
上記柱状物品は、縦にした状態で一列または複数列に配列され、
上記カートンは上記柱状物品の下端を支持する底壁と、この底壁の側縁に接続された相対向する一対の側壁と、これら側壁どうしを接続する頂壁と、上記頂壁、底壁、および一対の側壁で構成される筒状体の前端を構成する前壁と、上記前端に形成されて上記柱状物品を上記カートンから取り出すのに使用されるデイスペンサーと、上記カートンに取り付けられて上記カートンを上記前端に向かって傾斜させる傾斜手段とを備え、上記デイスペンサーは上記柱状物品のうち少なくとも一つをカートンから取り出すのに可能な大きさの開口であり、この開口は、上記前壁、頂壁、一対の側壁のそれぞれの一部から構成される分離部を上記カートンから切離することにより形成され、上記傾斜手段は切離された上記分離部により構成されていることを特徴とするディスペンサー付パッケージ。
【請求項２】
前記分離部が前記筒状体の後端近傍に取り付けられて前記傾斜手段を形成することを特徴とする請求項１に記載のディスペンサー付パッケージ。
【請求項３】
前記底壁および前記分離部に、両者の相対的位置を保持するための保持手段を設け、前記分離部は、側壁および底壁を挟むように取り付けられ、前記保持手段は、前記分離部に設けられた凸部と、前記底壁および前記前壁のいずれかまたは両者の境界に設けられて上記凸部が挿入されるスリットとを備えることを特徴とする請求項１または２に記載のディスペンサー付パッケージ。
【請求項４】
前記底壁の内面に、前記物品の列に沿って延在する凸条を設け、前記凸条は、前記底壁の外面から内面側へ向けて型押し成形されたものであることを特徴とする請求項１〜３のいずれかに記載のディスペンサー付パッケージ。
【請求項５】
前記物品の列は複数設けられ、上記物品の列どうしを区画する隔壁が設けられていることを特徴とする請求項１〜４のいずれかに記載のディスペンサー付パッケージ。
【発明の詳細な説明】
【０００１】
【発明の属する技術分野】
本発明は、缶などの複数の物品を収容するカートンに係り、物品を個別に取り出すことができるディスペンサーを備えたカートンに関する。より具体的には、本発明は、物品を縦に収容した状態でディスペンサーを使用するようにしたパッケージに関する。
【０００２】
【従来の技術】
従来より、ソフトドリンク等の飲料などの物品を複数収容して流通や消費者の使用に供されるカートンが提供されている。消費者がそのような物品をカートン単位で購入した際には、カートンを破壊することなく物品を一つづつ取り出すことができれば便利である。
【０００３】
ＥＰ特許出願公開０４７５１４７Ａ１には、物品を縦に収容した状態でディスペンサーを使用するようにしたカートンが開示されている。このカートンは、瓶を２列にして複数収容し、カートンの一端部の角部を取り除いて開口部を形成するようになっている。このカートンでは、角部に形成した開口部から瓶を上方へ抜き取ることができ、カートンの奥の方の瓶は、カートンの他端部の角部を取り除いて形成した開口部から抜き取るようになっている。
【０００４】
【特許文献１】
ＥＰ特許出願公開０４７５１４７Ａ１（図８）
【０００５】
【発明が解決使用とする課題】
上記のようなカートンを例えば冷蔵庫に収納した場合、奥の方の瓶を取り出すためには、冷蔵庫からカートンを取り出し、奥の方にあった角部を取り除いて前後を反転させて再度冷蔵庫に収納するという作業が必要となる。消費者にとっては、そのような作業は煩雑であり、また、その際に瓶が倒れることが想定されることから使い難いという問題がある。
【０００６】
したがって、本発明は、一つの物品を取り出した後に次の物品がディスペンサー側へ移動することができ、煩雑な作業を行うことなく物品を一つづつ容易に取り出すことができるディスペンサー付パッケージを提供することを目的としている。
【０００７】
【課題を解決るための手段】
本発明は、カートンと、このカートン内に収容される複数の柱状物品とからなるパッケージであって、上記柱状物品は、縦にした状態で一列または複数列に配列され、上記カートンは上記柱状物品の下端を支持する底壁と、この底壁の側縁に接続された相対向する一対の側壁と、これら側壁どうしを接続する頂壁と、上記頂壁、底壁、および一対の側壁で構成される筒状体の前端を構成する前壁と、上記前端に形成されて上記柱状物品を上記カートンから取り出すのに使用されるデイスペンサーと、上記カートンに取り付けられて上記カートンを上記前端に向かって傾斜させる傾斜手段とを備え、上記デイスペンサーは上記柱状物品のうち少なくとも一つをカートンから取り出すのに可能な大きさの開口であり、この開口は、上記前壁、頂壁、一対の側壁のそれぞれの一部から構成される分離部を上記カートンから切離することにより形成され、上記傾斜手段は切離された上記分離部により構成されていることを特徴としている。
【０００８】
上記構成のディスペンサー付パッケージにあっては、傾斜手段によってカートンが前端に向かって傾斜させられるから、内部の物品は先端側つまり開口側へ自重で付勢される。したがって、物品を開口から取り出すと後ろ側の物品が開口の所へ滑動するので、物品を一つづつ順番に取り出すことができる。
【０００９】
分離部は、側壁および底壁を挟むように取り付けられることが望ましく、これにより、分離部がカートンから離脱し難くなる。しかしながら、物品が自重によって開口側へ滑動する際に、カートンが振動して分離部の位置がずれることが想定される。そこで、底壁および分離部に、両者の相対的位置を保持するための保持手段を設けることが望ましい。具体的には、保持手段は、分離部に設けられた凸部と、底壁および前壁のいずれかまたは両者の境界に設けられて凸部が挿入されるスリットとを備えることができる。
【００１０】
物品が自重によってカートン内で滑動し易くするために、底壁の内面に、物品の列に沿って延在する凸条を設けると好適である。この凸条は、底壁の外面から内面側へ向けて型押し成形することにより簡単に形成することができる。
【００１１】
また、物品が２列あるいはもっと複数列の場合には、一つの物品が取り出されてその列の物品が滑動しようとした際に、隣接する列の物品が干渉して滑動が阻まれることがある。そこで、物品の列どうしを区画する隔壁を設けることにより、それぞれの列の物品の滑動を円滑に行うことができる。
【００１２】
分離部は、手で破断可能な弱化線によって区画される。弱化線は、例えばミシン目やプレス型押しで薄くした線で構成することができる。弱化線は、カートンの後端側または先端側へ突出する破断起点部を備えることが望ましい。この破断起点部を指で押すことにより破断を容易に開始させることができる。また、破断起点部を後端側へ突出するように設けることにより、分離部を分離した後に破断起点部のあとに残った凹部から物品に指を掛けて容易に取り出すことができる。破断起点部は、使用者の手の３本の指で把持できるように頂壁および側壁にそれぞ設けられていることが望ましい。
【００１３】
ところで、分離部を側壁および底壁を挟むように安定して取り付けるためには、分離部の幅は側壁どうしの幅よりも広いことが望ましい。そこで、分離部のうち前壁で構成された部分は、カートンから切離されることにより中央から拡開可能となることが望ましい。より具体的には、分離部の一部を構成する前壁を、一対の側壁に折曲げ自在にそれぞれ接続された一対のパネルで構成し、パネルの縁部どうしを突き合わせて前壁を閉じる。そして、分離部の前壁部分では、頂壁側のみにおいてパネルどうしが互いに接続されるようにし、底壁側ではパネルどうしが互いに拡開できるようにする。
【００１４】
上記したカートンは、分離部を用いてカートンを傾斜させることによって物品が自重で滑動するように構成している。本発明では、例えば冷蔵庫で冷蔵している食品や脱臭剤などでカートンを傾斜させる態様も含む。この場合、上記のような分離部に代わる特徴として以下の構成を備えることができる。
【００１５】
すなわち、本発明の第２のディスペンサー付カートンは、複数の柱状物品を縦にして１列または複数列に配列して収容する箱状体のカートンであって、頂壁と、この頂壁の側縁に接続された相対向する一対の側壁と、これら側壁どうしを接続する底壁と、上記頂壁、側壁および底壁で構成される筒状体の端面を閉塞する端壁と、上記物品の列の先端部側で上記頂壁、側壁および端壁によって形成される角部に設けられた切離可能な分離部とを備え、上記分離部は、切離されることで物品を取り出すことが可能な開口を形成し、前記底壁の内面に、前記物品の列に沿って延在する凸条を設けたことを特徴としている。
【００１６】
また、本発明の第３のディスペンサー付カートンは、複数の柱状物品を縦にして複数列に配列して収容する箱状体のカートンであって、頂壁と、この頂壁の側縁に接続された相対向する一対の側壁と、これら側壁どうしを接続する底壁と、上記頂壁、側壁および底壁で構成される筒状体の端面を閉塞する端壁と、上記物品の列の先端部側で上記頂壁、側壁および端壁によって形成される角部に設けられた切離可能な分離部と、上記物品の列どうしを区画する隔壁とを備え、上記分離部は、切離されることで物品を取り出すことが可能な開口を形成することを特徴としている。
【００１７】
【発明の実施の形態】
１．第１実施形態
以下、本発明の第１実施形態について図１〜図６を参照しながら説明する。
図１には、缶などの物品を複数収容するためのカートンを形成するためのものであって、ボール紙またはそれに類する折曲げ自在なシート材から作成されたブランクが示されている。ブランク１０は、第１側壁パネル１２と、頂壁パネル１４と、第２側壁パネル１６と、底壁パネル１８と、糊代フラップ２０とを備え、これらは折目線２２，２４，２６，２８に沿って折曲げ自在に連続的に接続されている。これらパネル１２〜１８により矩形の筒状体が形成され、それらパネル１２〜１８の縁部には、筒状体の開口部を閉塞する端壁を形成するための各種パネルおよびフラップが接続されている。なお、図１において左右のパネルおよび折目線には「ａ」または「ｂ」の添え字を付してあり、左右のものが同等の構成の場合には一方のみについて説明する。
【００１８】
後端側（図１において左側）の端壁は、第１側壁パネル１２に折目線３１ａを介して折曲げ自在に接続された第１端壁パネル３２ａと、第２側壁パネル１６に折目線３５ａを介して折曲げ自在に接続された第２端壁パネル３６ａとを備えている。また、端壁は、頂壁パネル１４に折目線３３ａを介して折曲げ自在に接続された第１支持パネル３４ａと、底壁パネル１８に折目線３７ａを介して折曲げ自在に接続された第２支持パネル３８ａとを備えている。
【００１９】
後端側の第２端壁パネル３６ａには、カートンを組み立てた状態で第１端壁パネル３２ａ側へ突出する糊代フラップ４４が形成されている。一方、先端側の第２端壁パネル３６ｂにはそのようなフラップはなく、カートンを組み立てた状態で第１端壁パネル３２ｂと第２端壁パネル３６ｂの縁部どうしが互いに接するか近接するようになっている。
【００２０】
図１に示すように、第２支持パネル３８ａと底壁パネル１８とを接続する折目線３７ａは、外側へ向けて湾曲している。これにより、カートンを組み立てたときに端壁の下端部が缶等の物品の外周面に沿うように外側へ膨らみ、物品をしっかりと保持する。
【００２１】
本実施形態のカートンの先端側には、頂壁パネル１４および一対の第１、第２側壁パネル１２，１６の一部で構成されるディスペンサーＤが設けられている。ディスペンサーＤは、図２に示す塵取り状の分離部Ｔを頂壁パネル１４および一対の第１、第２側壁パネル１２，１６が形成する角部から切り離すことで形成される。
【００２２】
図１に示すように、分離部Ｔは、第１、第２側壁パネル１２，１６の一部で構成されたパネル６２，６６と、頂壁パネル１４の一部で構成されたパネル６４とを備えている。また、分離部Ｔは、第１、第２端壁パネル３２ｂ，３６ｂの一部で構成されたパネル６２ｂ，６６ｂを備え、第１支持パネル３４ｂは、パネル６２ｂ，６６ｂをパネル６４側で接続する機能を有する。パネル６２，６４，６６は、ミシン目またはプレス型押しで薄くした線で構成される弱化線６８によって第１、第２側壁パネル１２，１６および頂壁パネル１４に接続されている。弱化線６８は、図２に示す塵取り状の分離部Ｔを形成するような形状とされ、カートンから分離部Ｔを切離することによって図３に示す開口Ｏが形成される。
【００２３】
図１に示すように、第１、第２側壁パネル１２，１６と頂壁パネル１４には、分離部Ｔを切離する際の破断の起点となる破断起点部７０ａ，７０ｂ，７０ｃが弱化線６８から後端側へ突出するように形成されている。破断起点部７０ａ，７０ｂ，７０ｃは、ミシン目やプレス型押しで薄くした破断し易い線であり、使用者の薬指、人差指および親指の位置に配置されている。したがって、使用者は、破断起点部７０ａ，７０ｂ，７０ｃを指で押圧すると同時に分離部Ｔを把持することができる。
【００２４】
破断起点部７０ａ，７０ｃの両端部の間には、折目線７２ａ，７２ｃがそれぞれ形成され、破断起点部７０ａ，７０ｃと折目線７２ａ，７２ｃで区画された部分に、折目線７２ａ，７２ｃに沿って折り曲げ可能な指掛けタブ７３ａ，７３ｃが形成されている。また、破断起点部７０ｂの両端部の間には、ミシン目等の弱化線７２ｂが形成され、破断起点部７０ｂと弱化線７２ｂとで区画された部分に、弱化線７２ｂに沿って折り曲げ可能な指掛けタブ７３ｂが形成されている。指掛けタブ７３ｂは、分離部Ｔに残されて次に説明する底壁パネル１８のスリット７４に挿入される。なお、弱化線７２ｂに代えて折目線とすることもできる。
【００２５】
図１に示すように、底壁パネル１８の後端側には、左右方向に延在し両端部で先端側へ屈曲するスリット７４が形成されている。スリット７４の両端の間には折目線７６が形成され、これらスリット７４および折目線７６で区画された部分に、折目線７６に沿って折り曲げ可能な係合タブ７８が形成されている。そして、係合タブ７８を折目線７６に沿って内側へ折り曲げることにより、スリット７４の開口が大きくなり、上記した指掛けタブ７３ｂを簡単に挿入することができる。
【００２６】
また、底壁パネル１８には、先後方向に延在する複数（この実施形態では２つ）の凸条８０が形成されている。凸条８０は、図１に示すブランクをプレス成形する際に型押し成形されたもので、カートンは、凸条８０が内側へ突出するように組み立てられる。
【００２７】
図１に示すブランクからカートンを組み立てるために、連続的な折曲げおよび糊付け作業が行われる。折曲げおよび糊付け作業は、直線状の機械ラインでブランクないしカートンを反転または回転させることなく行われる。以下はその手順を示すものであるが、本発明は以下の例に限定されるものではない。
【００２８】
まず、底壁パネル１８を折目線２６に沿って折り曲げ、第２側壁パネル１６に重ね合わせる。次に、糊代フラップ２０に糊を塗布し、第１側壁パネル１２を折目線２２に沿って折り曲げて頂壁パネル１４および第２側壁パネル１６に重ね合わせる。これにより、第１側壁パネル１２の側縁部が糊代フラップ２０に接着され、平らにつぶれた状態のカートンが形成される。この状態から頂壁パネル１４および底壁パネル１８を、第２側壁パネル１６および第１側壁パネル１２のそれぞれに対して９０°折り曲げ、両端が開口した矩形筒状体を形成する。
【００２９】
続いて、缶Ｃ等の物品を矩形筒状体の両端または一端の開口から内部に挿入する。その際、カートンは、図２に示すような立てた状態ではなく横に倒した状態とすると、缶Ｃを転動させることができるので作業を容易に行うことができる。その後、筒状体の両端開口を閉じるが、その順番は先端側と後端側のいずれから行っても良く、もちろん同時に行うことも可能である。
【００３０】
後端側の開口を閉じるには、先ず、第１支持パネル３４ａおよび第２支持パネル３８ａを、頂壁パネル１４および底壁パネル１８のそれぞれに対して内側へ９０°折り曲げ、第１、第２支持パネル３４ａ，３８ａに糊を塗布する。次いで、第２端壁パネル３６ａを第２側壁パネル１６に対して内側へ９０°折り曲げ、これを第１、第２支持パネル３４ａ，３８ａに接着する。次いで、第２端壁パネル３６ａの糊代フラップ４４に糊を塗布し、第１端壁パネル３２ａを第１側壁パネル１２に対して内側へ９０°折り曲げ、これを糊代フラップ４４に接着する。
【００３１】
先端側の開口を閉じるには、先ず、第１支持パネル３４ｂおよび第２支持パネル３８ｂを、頂壁パネル１４および底壁パネル１８のそれぞれに対して内側へ９０°折り曲げ、第１、第２支持パネル３４ｂ，３８ｂに糊を塗布する。次いで、第１、第２端壁パネル３２ｂ，３６ｂを第１、第２側壁パネル１２，１６のそれぞれに対して内側へ９０°折り曲げ、これらを第１、第２支持パネル３４ｂ，３８ｂに接着する。こうしてカートンに複数の缶Ｃが荷積みされたパッケージが完成する（図２参照）。
【００３２】
缶Ｃをカートンから取り出すには、指掛けタブ７３ａ，７３ｂ，７３ｃを指で押しながら内部の缶Ｃとともに分離部Ｔを把持する。これにより、各破断起点部７０ａ，７０ｂ，７０ｃで破断が起こる。そして、内部の缶Ｃとともに把持した分離部Ｔを引っ張ると、破断起点部７０ａ，７０ｂ，７０ｃから破断が弱化線６８に沿って伝播し、分離部Ｔがカートンから分離される。こうして、分離部Ｔとともに缶Ｃを取り出すことにより、カートンの先端部に開口Ｏが形成され、その開口Ｏの下側には、分離部Ｔよりも下側の端壁の一部からなるストッパＳが形成される。
【００３３】
次に、分離部Ｔをカートンの後端下部に取り付けてカートンを先端側へ向けて下り勾配に傾斜させ、開口ＯをディスペンサーＤとして機能させる。その際には、指掛けタブ７３ｂをスリット７４に挿入し（図４参照）、パネル６２，６６でカートンの第１、第２側壁パネル１２，１６および底壁パネル１８を挟み込む。この状態でカートンを例えば冷蔵庫等の棚に載置すると、カートンは、先端側（冷蔵庫等の扉側）へ向け下方へ傾斜した姿勢をとる。これにより、カートン内の缶Ｃは自重によって開口Ｏ側へ滑動し、ストッパＳに当接して停止する。この状態で最も先端側の缶Ｃは開口Ｏに露出されるので、開口から次の缶Ｃを取り出すことができる。
【００３４】
特に、この実施形態では、底壁パネル１８に凸条８０を設けているので、缶Ｃと底壁パネル１８との摩擦抵抗が小さく、缶Ｃが開口Ｏ側へスムーズに滑動する。また、カートンから分離部Ｔを切離すると指掛けタブ７３ａ，７３ｂ，７３ｃのあとに凹部８２が形成されるので（図３参照）、それら凹部８２から指を挿入して缶Ｃを簡単に把持することができる。
【００３５】
分離部Ｔのパネル６２ｂ，６６ｂは、図６に示すように、後端側の部分でのみ第１支持パネル３４ｂで接続されているので、分離部Ｔにカートンの底部を押し込むとパネル６２ｂ，６６ｂが中央から拡開する。これにより、分離部Ｔの幅が広くなり、カートンの後端下部は、分離部Ｔにきっちりと嵌まる。すなわち、分離部Ｔのパネル６２，６２ｂとパネル６６，６６ｂとによりそれぞれ形成された隅に、カートンの底壁パネル１８と第１、第２側壁パネル１２，１６とで形成された角がきっちりと嵌るので、分離部Ｔがカートンに安定して取り付けられる。また、分離部Ｔの指掛けタブ７３ｂは、スリット７４内で係合タブ７８に押圧されているから、スリット７４から容易に抜け出ることがない。したがって、カートン内の缶Ｃが開口Ｏ側へ滑動し、ストッパＳに当接してカートン全体が振動した場合であっても、分離部Ｔのカートンに対する位置ずれが生じにくい。
【００３６】
２．第２実施形態
図７〜図１２は本発明の第２実施形態を示す図である。
図７には、缶などの物品を複数収容するためのカートンを形成するためのものであって、ボール紙またはそれに類する折曲げ自在なシート材から作成されたブランクが示されている。ブランク１１０は、第１底壁パネル１１８と、第１側壁パネル１１２と、頂壁パネル１１４と、第２側壁パネル１１６と、第２底壁パネル１２０と、仕切パネル１９０とを備え、これらは折目線１２０，１２２，１２４，１２６，１２８に沿って折曲げ自在に連続的に接続されている。これらパネル１１２〜１２０により矩形の筒状体が形成され、それらパネル１１２〜１２０の縁部には、筒状体の開口部を閉塞する端壁を形成するための各種パネルおよびフラップが接続されている。なお、図７において左右のパネルおよび折目線には「ａ」または「ｂ」の添え字を付してあり、左右のものが同等の構成の場合には一方のみについて説明する。
【００３７】
後端側の端壁（図７において左側）は、互いに平行な一対の折目線１３１ａを介して第１側壁パネル１１２に折曲げ自在に接続された第１端壁パネル１３２ａと、互いに平行な一対の折目線１３５ａを介して第２側壁パネル１１６に折曲げ自在に接続された第２端壁パネル１３６ａとを備えている。また、端壁は、頂壁パネル１１４に折目線１３３ａを介して折曲げ自在に接続された第１支持パネル１３４ａと、底壁パネル１１８，１２０に折目線１３７ａ，１３９ａを介して折曲げ自在に接続された第２支持パネル１３８ａ，１４０ａとを備えている。
【００３８】
第１支持パネル１３４ａの端部には、カートンを組み立てた状態で第２支持パネル１３８ａ，１４０ａ側へ突出する糊代フラップ１４４ａが形成されている。先端側の糊代フラップ１４４ｂは、ミシン目等の弱化線１４５により第１支持パネル１３４ｂに接続されている。第１支持パネル１３４ａ、頂壁パネル１１４、第２側壁パネル１１６、および第２端壁パネル１３６ａの交叉部には、略三角形状をなす切欠１４６ａがその鋭角部分を内側へ向けて形成されている。切欠１４６ａの１つの辺は折目線１２４の延長線上に位置し、そこからさらに延長した線上には折目線１４８ａが形成されている。また、折目線１４８ａに対して外側へ向けて散開する折目線１５０ａが切欠１４６ａから延在し、これら折目線１４８ａ，１５０ａの間にガセットパネル１５２ａが設けられている。以上のような切欠１４６ａおよびガセットパネル１５２ａは、第１、第２端壁パネル１３２ａ，１３６ａの両側にそれぞれ設けられている。
【００３９】
本実施形態のカートンの先端側には、頂壁パネル１１４および一対の第１、第２側壁パネル１１２，１１６の一部で構成されるディスペンサーＤが設けられている。ディスペンサーＤは、図８に示す塵取り状の分離部Ｔを頂壁パネル１４および一対の第１、第２側壁パネル１１２，１１６が形成する角部から切り離すことで形成される。
【００４０】
図７に示すように、分離部Ｔは、第１、第２側壁パネル１１２，１１６の一部で構成されたパネル１６２，１６６と、頂壁パネル１１４の一部で構成されたパネル１６４とを備えている。また、分離部Ｔは、第１、第２端壁パネル１３２ｂ，１３６ｂの一部で構成されたパネル１６２ａ，１６６ａを備えている。パネル１６２，１６４，１６６は、ミシン目またはプレス型押しで薄くした線で構成される弱化線１６８によって第１、第２側壁パネル１１２，１１６および頂壁パネル１１４に接続されている。弱化線１６８は、図８に示す塵取り状の分離部Ｔを形成するような形状とされ、カートンから分離部Ｔを切離することによって図９に示す開口Ｏが形成される。
【００４１】
図７に示すように、頂壁パネル１１４には、分離部Ｔを切離する際の破断の起点となる破断起点部１７０ｂが弱化線１６８から先端側へ突出するように形成されている。破断起点部１７０ｂは、ミシン目やプレス型押しで薄くした破断し易い線である。破断起点部１７０ｂの両端部の間には、弱化線１６８が通っており、破断起点部１７０ｂと弱化線１６８とで区画された部分に、弱化線１６８に沿って折り曲げおよび切離可能なけタブ１７３ｂが形成されている。
【００４２】
第１、第２底壁パネル１１８，１２０には、先後方向に延在する複数（この実施形態では２つ）の凸条１８０がそれぞれ形成されている。凸条１８０は、図７に示すブランクをプレス成形する際に型押し成形されたもので、カートンは、凸条１８０が内側へ突出するように組み立てられる。
【００４３】
仕切パネル１９０は、分離部Ｔをカートンから切離したあとに形成される開口Ｏの形状に合わせて折目線１２８に向けて裾広がりの形状とされている。この仕切パネル１９０には、糊代フラップ１９２が折目線１９４を介して折曲げ自在に接続されている。
【００４４】
次に、図７に示すブランクからカートンを組み立てる手順を説明する。
まず、仕切パネル１９０の糊代フラップ１９２に糊を塗布し、第２底壁パネル１２０および仕切パネル１９０を折目線１２６に沿って折り曲げる。そして、これらを第２側壁パネル１１６および頂壁パネル１１４に重ね合わせ、糊代フラップ１９２を頂壁パネル１１４に接着する。次に、第１底壁パネル１１８および第２支持パネル１３８ａ，１３８ｂの縁部（外側の凸条１８０よりも外側の部分）に糊を塗布し、第１底壁パネル１１８および第１側壁パネル１１２を折目線１２２に沿って折り曲げる。そして、これらを既に折り曲げた第２底壁パネル１２０および仕切パネル１９０に重ね合わせ、第１底壁パネル１１８を第２底壁パネル１２０に接着する。これにより、平らにつぶれた状態のカートンが形成される。この状態から頂壁パネル１１２および互いに接着された第１、第２底壁パネル１１８，１２０を、第２側壁パネル１１６および第１側壁パネル１１２のそれぞれに対して９０°折り曲げ、両端が開口した矩形筒状体を形成する。その際に、仕切パネル１９０が第２底壁パネル１２０と糊代フラップ１９２および頂壁パネル１１４に対して折目線１２８，１９４に沿って９０°反対方向に折り曲げられ、仕切パネル１９０が矩形筒状体の内部を二等分するように立ち上がる。
【００４５】
続いて、缶Ｃ等の物品が矩形筒状体の両端または一端の開口から内部に挿入される。その後、筒状体の両端開口を閉じるが、その順番は先端側と後端側のいずれから行っても良く、もちろん同時に行うことも可能である。
【００４６】
後端側の開口を閉じるには、第１端壁パネル１３２ａを第１側壁パネル１１２に対して９０°内側へ折り曲げる。その際、２つの折目線１３１ａで４５°づつ折り曲げる。同様に、第２端壁パネル１３６ａを２つの折目線１３５ａに沿って４５°づつ、つまり、第２側壁パネル１１６に対して９０°内側へ折り曲げる。これにより、ガセットパネル１５２ａは、第１支持パネル１３４ａおよび第２支持パネル１３８ａ，１４０ａに面接触するように折り曲げられる。
【００４７】
次に、第１、第２端壁パネル１３２ａ，１３６ａに糊を塗布し、第１支持パネル１３４ａを頂壁パネル１１４に対して９０°内側へ折り曲げる。そして、第１支持パネル１３４ａを第１、第２端壁パネル１３２ａ，１３６ａに重ね合わせて接着する。また、第１支持パネル１３４ａの糊代フラップ１４４ａに糊を塗布し、第２支持パネル１３８ａ，１４０ａを第１、第２底壁パネル１１８，１２０に対して９０°内側へ折り曲げる。そして、第２支持パネル１３８ａ，１４０ａを第１支持パネル１３４ａに重ね合わせて接着する。
【００４８】
先端側の開口を閉じるには、先ず、第１、第２端壁パネル１３２ｂ，１３６ｂを第１、第２側壁パネル１１２，１１６に対して９０°内側へ折り曲げる。その際、上記と同様に、一対の折目線１３１ｂおよび一対の折目線１３５ｂでそれぞれ４５°づつ折り曲げる。これにより、ガセットパネル１５２ｂは、第１支持パネル１３４ｂおよび第２支持パネル１３８ｂ，１４０ｂに面接触するように折り曲げられる。
【００４９】
次に、第１、第２端壁パネル１３２ｂ，１３６ｂに糊を塗布し、第１支持パネル１３４ｂを頂壁パネル１１４に対して９０°内側へ折り曲げる。そして、第１支持パネル１３４ｂを第１、第２端壁パネル１３２ｂ，１３６ｂに重ね合わせて接着する。また、第１支持パネル１３４ｂの糊代フラップ１４４ｂに糊を塗布し、第２支持パネル１３８ｂ，１４０ｂを第１、第２底壁パネル１１８，１２０に対して９０°内側へ折り曲げる。そして、第２支持パネル１３８ｂ，１４０ｂを第１支持パネル１３４ｂに重ね合わせて接着する。こうしてカートンに複数の缶Ｃが荷積みされたパッケージが完成する（図８参照）。
【００５０】
缶Ｃをカートンから取り出すには、指掛けタブ１７３ｂを指で押しながら内部の缶Ｃとともに分離部Ｔを把持する。これにより、破断起点部１７０ｂで破断が起こる。そして、内部の缶Ｃとともに把持した分離部Ｔを引っ張ると、破断起点部１７０ｂから破断が弱化線１６８に沿って伝播し、さらに弱化線１４５に伝播して分離部Ｔがカートンから分離される。この場合、分離部Ｔとともに缶Ｃを取り出すこともできる。これにより、カートンの先端部に開口Ｏが形成され、その開口Ｏには、分離部Ｔよりも下側の端壁の一部からなるストッパＳが形成される。
【００５１】
次に、分離部Ｔをカートンの後端下部に取り付けてカートンを先端側へ向けて傾斜させ、開口ＯをディスペンサーＤとして機能させる。その際には、分離部Ｔのパネル１６２，１６６でカートンの第１、第２側壁パネル１１２，１１６および第１、第２底壁パネル１１８，１２０を挟み込む。この状態でカートンを例えば冷蔵庫等の棚に載置すると、カートンは、先端側（冷蔵庫等の扉側）へ向け下方へ傾斜した姿勢をとる。これにより、カートン内の缶Ｃは自重によって開口Ｏ側へ滑動し、ストッパＳに当接して停止する。この状態で最も先端側の缶Ｃは開口Ｏに露出されるので、開口から次の缶Ｃを取り出すことができる。
【００５２】
特に、この実施形態では、間Ｃの列どうしを区画する仕切パネル１９０を設けているので、１つの間Ｃが取り出されてその列の缶Ｃが滑動しようとした際に、隣接する列の缶Ｃが干渉することがなく、その列の缶Ｃの滑動を円滑に行うことができる。
【００５３】
上記の説明で使用した頂、底部、端、先、後、内側、および外側などの方向を表わす用語は、それぞれのパネルをそのような方向に限定するものではなく、単にパネルどうしを互いに区別するためのものにすぎない。折目線という用語は必ずしも単一の折目線を指すものではなく、本発明の範囲を逸脱しない限りにおいて、１または複数の刻み線や、容易に折れたり曲がったりする線であっても良い。
また、本発明は、発明の範囲から逸脱することなく、例えば複数個３列の物品など、種々の配列の物品のカートンに適用することができる。
【図面の簡単な説明】
【図１】本発明の第１実施形態によるカートンを形成するためのカートンブランクの平面図である。
【図２】図１のブランクから形成されたカートンの斜視図である。
【図３】図２に示すカートンから分離部を切離してカートンの後端下部に取り付けた状態を示す斜視図である。
【図４】分離部をカートンに装着する直前の状態を示す斜視図である。
【図５】分離部をカートンに装着した状態を示す斜視図である。
【図６】分離部をカートンに装着した状態を示す底面図である。
【図７】本発明の第２実施形態によるカートンを形成するためのカートンブランクの平面図である。
【図８】図７のブランクから形成されたカートンの斜視図である。
【図９】図８に示すカートンから分離部を切離した状態を示す斜視図である。
【図１０】図８に示すカートンから分離部を切離した状態を示す平面図である。
【図１１】分離部をカートンに装着した状態を示す側面図である。
【図１２】分離部をカートンに装着した状態を示す斜視図である。
【符号の説明】
１０  ブランク
１２  第１側壁パネル
１４  頂壁パネル
１６  第２側壁パネル
１８  底壁パネル
７０ａ，７０ｂ，７０ｃ  破断起点部
７３ａ，７３ｂ，７３ｃ  指掛けタブ
８０  凸条
Ｄ  ディスペンサー
Ｓ  ストッパ
Ｔ  分離部
【図１】
2004345683.tif 000003
【図２】
2004345683.tif 000004
【図３】
2004345683.tif 000005
【図４】
2004345683.tif 000006
【図５】
2004345683.tif 000007
【図６】
2004345683.tif 000008
【図７】
2004345683.tif 000009
【図８】
2004345683.tif 000010
【図９】
2004345683.tif 000011
【図１０】
2004345683.tif 000012
【図１１】
2004345683.tif 000013
【図１２】
2004345683.tif 000014